(57)【要約】【課題】屋内や屋外で火災が発生したとしても、熱によって縦部材と横部材との間に生じる隙間を封止する。【解決手段】ＦＩＸ窓１０は、左右の縦枠１１と上下枠で形成した枠体１３に無目１２を設けた。縦枠１１と上下枠と無目１２は両端部を長手方向に直交して切断した端面を縦枠１１に接合した連結部を有する。連結部におけるガラスパネル１５の端部を支持する縦部材１１の飲み込み部１７の空洞部ｋ１の内壁に加熱発泡材２１を設けた。無目１２には、上下面の飲み込み部２３内の空洞部ｋ２の内壁に加熱発泡材２７を設けた。縦枠１１の加熱発泡材２１と無目１２の加熱発泡材２７は縦枠１１と無目１２の連結部に交差させて設けた。火災発生時に無目１２が熱変形して縦枠１１との連結部に隙間が発生しても、加熱発泡材２１，２７が熱膨張することで隙間を封止する。【選択図】図１
2015025269.tif 000002
【特許請求の範囲】
【請求項１】
縦部材と横部材の一方の部材の端面を他方の部材と接合する連結部を有している建具であって、
前記連結部における前記縦部材と横部材の少なくとも一方に加熱発泡材を配設していて、前記縦部材と横部材との連結部に生じる隙間を前記加熱発泡材の膨張によって封止するようにしたことを特徴とする建具。
【請求項２】
前記連結部における前記縦部材と横部材には、その長手方向に沿って前記加熱発泡材がそれぞれ設けられ、前記縦部材の加熱発泡材と前記横部材の加熱発泡材のうち少なくとも一方は前記縦部材と横部材が互いに接合する位置に設けられている請求項１に記載された建具。
【請求項３】
前記縦部材と横部材には、ガラスパネルを支持する空洞部を有するガラスパネル支持部がそれぞれ設けられ、前記ガラスパネル支持部の空洞部を封止するための前記加熱発泡材が設けられている請求項１または２に記載された建具。
【請求項４】
前記縦部材と横部材によって障子またはＦＩＸ窓を形成した請求項１乃至３のいずれか１項に記載された建具。
【発明の詳細な説明】
【技術分野】
【０００１】
本発明は、ＦＩＸ窓（嵌め込み窓）や引き違い障子や排煙窓等の障子を納めた窓やドア等を含む建具に関する。
【背景技術】
【０００２】
従来、特許文献１に記載された連続ストアフロントでは、左右の縦枠と上枠及び下枠とからなる枠体において、左右の縦枠と上下枠の各両端面は長手方向に直角に切断された（これをぶつ切りという）端面を有しており、枠体の左右の縦枠に上枠と下枠の両端面が当接して連結されている。
【０００３】
また、特許文献２に開示された開口部のガラスパネル等の塞ぎ板の取り付け構造では、サッシ枠のガラス板を嵌め込む凹溝に無機膨張硬化剤を埋め、その表面側にグレージング材を充填している。そして、火災時にグレージング材が溶けても無機膨張硬化剤が体積膨張して凹溝とガラス板との空洞を埋めることで、屋内外に空気が通ることを防いでいる。
【０００４】
また、例えば、図７及び図８に示すストアフロント等に用いられる店装商品である段窓１は、例えば縦枠２，３と上枠４及び下枠５を組み立てた枠体内に無目６を取り付けたＦＩＸ窓（嵌め込み窓）であり、上下の各枠体にガラスパネル７を嵌め込んでいる。
そして、段窓１では、縦枠２，３、上枠４、下枠５、無目６は各両端面が長手方向に直角に切断されており、縦枠２，３に対して上枠４や下枠５、そして無目６等の横部材の端面を当接させて、横部材の各切断面を縦枠２，３にタッピングねじ８等で結合している。
【先行技術文献】
【特許文献】
【０００５】
【特許文献１】特開平７−１９７７４３号公報
【特許文献２】特開２０１３−９２０２０号公報
【発明の概要】
【発明が解決しようとする課題】
【０００６】
ところで、図７及び図８に示す段窓１では、屋内や屋外で火災等が発生すると、上枠４や下枠５、そして無目６等の横部材が熱膨張して変形するために縦枠２，３との間に隙間が発生して空気が流通し、火災が屋外と屋内の一方から他方に拡大するおそれがあった。
しかも、縦枠２，３や上枠４、下枠５、そして無目６には、ガラスパネル７の端部を緩衝部材や内縁等で挟持するための凹溝の飲み込み部に空洞（空間）が形成されており、火災時にはこの空洞を通って変形した横部材との隙間から空気や火炎等が屋内外に連通して拡大するという不具合があった。
【０００７】
また、特許文献１に記載されたストアフロント等でも同様な挙動を生じる恐れがあった。また、特許文献２に記載された開口部でも、ガラス板と凹溝との隙間は埋められても熱変形する横部材と縦部材との隙間から空気や火炎等が屋内外に流通することを防止できなかった。
【０００８】
本発明は、このような課題に鑑みてなされたものであって、屋内や屋外で火災が発生したとしても、熱によって縦部材と横部材との間に生じる隙間を封止できるようにした建具を提供することを目的とする。
【課題を解決するための手段】
【０００９】
本発明による建具は、縦部材と横部材の一方の部材の端面を他方の部材と接合する連結部を有している建具であって、連結部における縦部材と横部材の少なくとも一方に加熱発泡材を配設していて、縦部材と横部材との連結部に生じる隙間を加熱発泡材の膨張によって封止するようにしたことを特徴とする。
本発明によれば、火災発生時に建具の縦部材や横部材が熱で変形して隙間が発生したとしても、連結部における縦部材と横部材の少なくとも一方に配設した加熱発泡材が熱で膨張することで隙間を封止して屋内外への空気や火炎等の連通を防止できる。
【００１０】
また、連結部における縦部材と横部材には、その長手方向に沿って加熱発泡材がそれぞれ設けられ、縦部材の加熱発泡材と横部材の加熱発泡材のうち少なくとも一方は縦部材と横部材が互いに接合する位置に設けられていることが好ましい。
本発明では、縦部材と横部材が互いに接合する位置に縦部材の加熱発泡材と横部材の加熱発泡材の少なくとも一方が設けられているため、縦部材の加熱発泡材と横部材の一方または両方の加熱発泡材が熱膨張することで隙間を確実に封止できる。
【００１１】
また、縦部材と横部材には、ガラスパネルを支持する空洞部を有するガラスパネル支持部がそれぞれ設けられ、ガラスパネル支持部の空洞部を封止可能な加熱発泡材が設けられていてもよい。
加熱発泡材が熱膨張することで、縦部材と横部材に設けたガラスパネル支持部の空洞部に加熱発泡材が充填して封止でき、そのため、空洞部を通って空気や火炎等が屋内外を流通することを防止できる。なお、ガラスパネル支持部はガラスパネルの端部を支持する飲み込み部を含んでいる。
【００１２】
また、縦部材と横部材によって障子またはＦＩＸ窓を形成してもよい。
障子やＦＩＸ窓の縦部材や横部材が熱変形して隙間が生じても加熱発泡材の熱膨張によって隙間を封止できる
【発明の効果】
【００１３】
本発明による建具によれば、縦部材と横部材の少なくとも一方に加熱発泡材を配設したから、火災時に縦部材や横部材が熱変形して両者の連結部に隙間が生じても加熱発泡材の熱膨張によって隙間を封止することができて、空気や火炎等の流入による火災の拡大を防止することができる。
【図面の簡単な説明】
【００１４】
【図１】本発明の第一実施形態による段窓を示すものであって、段窓の縦枠と無目との連結部に加熱発泡材を取り付けた状態の断面図であり、（ａ）は縦枠と無目との連結部の要部説明図、（ｂ）は図１（ａ）における縦枠のＡ−Ａ線断面図、（ｃ）は同じく無目のＢ-Ｂ線断面図である。
【図２】図１に示す段窓の縦枠と無目との連結部を破断して示す斜視図である。
【図３】図１に示す段窓の縦枠と無目との連結部に設けた加熱発泡材が熱膨張した状態の断面図であり、（ａ）は縦枠と無目との連結部の要部説明図、（ｂ）は縦枠のＡ´−Ａ´線断面図、（ｃ）は無目のＢ´−Ｂ´線断面図である。
【図４】本発明の第二実施形態による排煙窓の正面図である。
【図５】図４に示す排煙窓の縦框と下框との連結部に加熱発泡材を取り付けた状態を示す図であり、（ａ）は縦框と下框との連結部の要部説明図、（ｂ）は縦框のＣ−Ｃ線断面図、（ｃ）は下框のＤ−Ｄ線断面図である。
【図６】図４に示す排煙窓の縦框と下框との連結部に設けた加熱発泡材を熱膨張させた状態の図であり、（ａ）は縦框と下框との連結部の要部説明図、（ｂ）は縦框のＣ´−Ｃ´線断面図、（ｃ）は下框のＤ´−Ｄ´線断面図である。
【図７】従来の段窓を示す正面図である。
【図８】（ａ）は図７に示すＸ部分における縦枠と無目の接合構造を示す縦断面図、（ｂ）は同図（ａ）の無目の部分のＹ−Ｙ線断面図である。
【発明を実施するための形態】
【００１５】
以下、本発明の各実施形態による建具としての窓の断面構造を図１乃至図６を参照しながら説明する。
図１乃至図３に示すＦＩＸ窓（嵌め殺し窓）１０は、上述した従来技術に示すＦＩＸ窓１と同様な構成を備えた段窓である。ＦＩＸ窓１０は、例えば、ストアフロント等の店装商品であり、左右の縦枠１１と上下枠と無目１２の各両端面は長手方向に直角に切断された（ぶつ切りという）端面を有する。そして、図１（ａ）において、左右の縦枠１１に図示しない上枠と下枠がタッピングねじ等で固定されて枠体１３が構成され、更に上枠と下枠の間に無目１２が平行に配設され、左右の縦枠１１の側部に無目１２の両端面が当接してタッピングねじ１４で固定されている。枠体１３は無目１２によって上下二つの枠体１３ａ、１３ｂに分割され、それぞれにガラスパネル１５が嵌め込まれている。
【００１６】
図１（ｂ）は図１（ａ）における縦枠１１のＡ−Ａ線水平断面図であり、縦枠１１の内壁面に、ガラスパネル支持部として、ガラスパネル１５の端部を飲み込む凹溝形状の飲み込み部１７が形成されている。飲み込み部１７は縦枠１１の長手方向に沿って形成されている。飲み込み部１７のガラスパネル１５の取り付け部分をなす開口１７ａには両側に支持縁部１７ｂが形成されている。支持縁部１７ｂにはガラスパネル１５の端部を支持するバックアップ材１８が取り付けられ、更にバックアップ材１８の外側にはガラスパネル１５を挟持するシーリング材１９が取り付けられている。
【００１７】
そして、図１（ａ）、（ｂ）において、飲み込み部１７の凹溝におけるバックアップ材１８に対向する底部１７ｃには例えば帯状の加熱発泡材２１がねじ、接着剤等で固定されている。特にこの加熱発泡材２１は、火災時に空気や炎が屋内(や室内)と屋外(や室内)の間を連通しないように、無目１２との連結部と重なる領域に、図１（ａ）に示す無目１２の幅を超えて上下に延びるように取り付けることが好ましい。なお、加熱発泡材２１の固定位置は底部１７ｃに限らず適宜位置に固定できることはいうまでもない。
【００１８】
また、図１（ｃ）は図１（ａ）における無目１２のＢ−Ｂ線垂直断面図であり、無目１２におけるガラスパネル支持部として縦枠１１と同様な構成が開示されている。即ち、無目１２の上下面にガラスパネル１５の端部を飲み込む凹溝形状の飲み込み部２３が形成されており、これらガラスパネル１５の飲み込み部２３は無目１２の上下部で例えば略線対称に配設されている。
【００１９】
次に、無目１２の上部に設けたガラスパネル１５の飲み込み部２３を説明する。無目１２の上部に設けた飲み込み部２３は無目１２の長手方向に沿って形成されている。飲み込み部２３におけるガラスパネル１５の取り付け部分をなす開口２３ａには両側に支持縁部２３ｂが形成されている。支持縁部２３ｂにはガラスパネル１５の端部を支持するバックアップ材２４が取り付けられ、更にバックアップ材２４の外側にはガラスパネル１５を挟持するシーリング材２５が取り付けられている。なお、バックアップ材１８、２４やシーリング材１９、２５は不燃性の素材で形成されていることが好ましい。
そして、図１（ｃ）において、飲み込み部２３の凹溝におけるバックアップ材２４と対向する底部２３ｃには例えば帯状の加熱発泡材２７がねじ、接着剤等で固定されている。特に無目１２に設けた加熱発泡材２７は、火災時に空気や炎が屋内と屋外の間を連通しないように、縦枠１１との連結部の無目１２の一方の端面から無目１２の長手方向に所定距離延びている。
無目１２の下部にも上部と同様な構成を備えた飲み込み部２３が設けられている。
【００２０】
また、無目１２の上部の飲み込み部２３の領域において、ガラスパネル１５の屋内側には押縁部材２９が設けられ、この押縁部材２９を飲み込み部２３のバックアップ材２４を介してガラスパネル１５に押圧することでガラスパネル１５を無目１２に固定している。図２は第一実施形態によるＦＩＸ窓１０におけるガラスパネル１５を挟む縦枠１１と無目１２との結合構造を示す斜視図である。
【００２１】
図１（ｂ）において、縦枠１１の飲み込み部１７内の空洞部ｋ１を設けた底部１７ｃに加熱発泡材２１が取り付けられている。また、図１（ｃ）において、無目１２の上下部でガラスパネル１５を支持する一対の飲み込み部２３内の空洞部ｋ２の底部２３ｃに加熱発泡材２７がそれぞれ取り付けられている。しかも、各加熱発泡材２１、２７は主として厚み方向に膨張するから、縦枠１１の加熱発泡材２１と無目１２の加熱発泡材２７とは縦枠１１と無目１２の連結部において互いに直交して設けられている。
また、上記構成は縦枠１１と無目１２との連結部だけでなく、縦枠１１と上枠との連結部、そして縦枠１１と下枠との連結部にもそれぞれ設けられている。無目１２では上下両面にガラスパネル１５の端部を支持する飲み込み部２３が設けられているが、上枠は下面のみ、下枠は上面のみにガラスパネル１５の端部を支持する飲み込み部がそれぞれ設けられているものとする。
【００２２】
本第一実施形態によるＦＩＸ窓１０は上述の構成を備えているから、例えば隣接した建物で火災が発生した場合、屋外からの熱により、無目１２が変形して屋外側に反ってしまう。すると、縦枠１１と無目１２との間に隙間が発生するが、図３に示すように、縦枠１１の飲み込み部１７内の底部１７ｃに取り付けた加熱発泡材２１が熱膨張するため、バックアップ材１８で挟むガラスパネル１５の端部との間の空洞部ｋ１を埋めて無目１２の端面との連結部まで延びて無目１２との間の隙間を封止する。
一方、熱で変形する無目１２では、上下面に設けた飲み込み部２３内の底部２３ｃに取り付けた加熱発泡材２７が熱膨張するため、バックアップ材２４で挟むガラスパネル１５の端部との間の空洞部ｋ２を埋めて無目１２の端面から外側にも膨張し、縦枠１１との隙間を封止する。
【００２３】
縦枠１１と無目１２との連結部において、無目１２が熱で変形して縦枠１１との間に隙間が発生したとしても、隙間を縦枠１１内の加熱発泡材２１と無目１２内の加熱発泡材２７がそれぞれ熱膨張することで互いに密着して封止し、屋内と屋外との空気や火炎等の流通を塞ぐことができる。通常時において、縦枠１１の加熱発泡材２１と無目１２の加熱発泡材２７は非接触に保持されるが、火災の際には互いに熱膨張して密着して縦枠１１と無目１２との隙間を封止して空気や火炎等の流通を遮断できる。
【００２４】
また、縦枠１１内の加熱発泡材２１によって飲み込み部１７内の空洞部ｋ１を封止し、無目１２内の加熱発泡材２７によって飲み込み部２３内の空洞部ｋ２を封止する。そのため、無目１２の熱変形で生じる隙間から縦枠１１の空洞部ｋ１や無目１２の空洞部ｋ２が火災による空気や火炎等の通路になることを防止できる。また、屋内で火災が発生したとしても、同様に空気や火炎等が屋外へ流通することを防止できる。
なお、上述の説明では、ＦＩＸ窓１０における左右の縦枠１１と無目１２との連結部について説明したが、左右の縦枠１１と上枠との連結部や左右の縦枠１１と下枠との連結部においても同様な構成を備えていて同様に加熱発泡材２１，２７で隙間を封止できる。
【００２５】
上述のように本第一実施形態によるＦＩＸ窓１０は、縦枠１１や上枠、下枠、そして無目１２が両端面を長手方向に直交する断面で切り落としたものを互いに接合したストアフロント等の店装商品であっても、火災等の際に縦枠１１に対して無目１２や上枠や下枠が熱膨張して隙間が形成された場合に、縦枠１１と無目１２や上枠や下枠との連結部に加熱発泡材２１、２７が熱膨張して隙間を封止できて、空気や火炎等の屋内外への流通を防止できて火災の拡大や延焼を防止できる。しかも、加熱発泡材２１，２７によって、縦枠１１、無目１２、上枠、下枠内の空洞部ｋ１、ｋ２を加熱発泡材の熱膨張で封止できて空気や火炎等の流通を封止する。
【００２６】
なお、本発明による建具は、上述した第一実施形態によるＦＩＸ窓１０に限定されるものではなく、本発明の要旨を逸脱しない範囲で適宜の変更や置換等が可能である。以下に、本発明の他の実施形態や変形例について説明するが、上述した実施形態や従来技術で説明した部品や部材等と同一または同様なものについては同一の符号を用いて説明する。
【００２７】
次に本発明の第二実施形態による開閉可能な窓として、排煙窓３０について図４乃至６により説明する。
図４に示す第二実施形態による排煙窓３０は、躯体の開口部に固定された四角形枠状の窓枠３１に障子３２が開閉可能に取り付けられている。障子３２は、左右の縦框３３、３４と上下の上框３５、下框３６とがその長手方向の両端面を長手方向に直交する断面で切断した(ぶつ切り）ものについて、縦框３３、３４の側部に上框３５と下框３６の端面を接合させてタッピングねじ１４で固定して枠体を構成した。障子３２はこの枠体内にガラスパネル１５を嵌め込んで構成されている。排煙窓３０の障子３２は下框３６に図示しないヒンジが設けられ、上框３５にロック可能な錠が設けられていて、下框３６のヒンジを中心に上下方向に開閉可能とされている。
【００２８】
図５（ａ）は障子３２における縦框３３と下框３６の連結部を示す拡大図であり、下框３６の端面が縦框３３の側面に当接してタッピングねじ１４で固定されている。そして、図５（ａ）、（ｂ）に示すように、縦框３３の内側の面にガラスパネル支持部の飲み込み部３８が固定され、飲み込み部３８には開口３８ａと空洞部３８ｂとが設けられている。開口３８ａ側にはガラスパネル１５の端部を挟持して支持するバックアップ材３９が設けられ、更にバックアップ材３９の外側にはシーリング材４０が設けられてガラスパネル１５を支持している。
また、飲み込み部３８の空洞部３８ｂ内には縦框３３の内面３３ａに加熱発泡材４１がねじ、接着剤等で固定されている。
【００２９】
また、図５（ａ）、（ｃ）に示す下框３６の内部にはその高さ方向に仕切り部４３が形成され、その上側にガラスパネル支持部の飲み込み部４４が形成され、下側に空洞部４５が形成されている。飲み込み部４４では、仕切り部４３上にセッティングブロック４６が設置され、更にその上にはガラスパネル１５の端部を挟持して支持するバックアップ材４７が設置され、バックアップ材４７の外側にはシーリング材４８が設置されてガラスパネル１５の端部を挟持している。なお、バックアップ材３９、４７やシーリング材４０、４８等は不燃性の素材で形成されていることが好ましい。
【００３０】
そして、飲み込み部４４内の空洞の両側壁にも第一加熱発泡材５０がねじ、接着剤等で固定され、空洞部４５の両側壁には第二加熱発泡材５１がねじ等で固定されている。図５（ａ）に示すように、縦框３３に設けた加熱発泡材４１は下框３６の第一及び第二加熱発泡材５０，５１に重なる位置に設けている。この場合、加熱発泡材４１は下框３６の第一加熱発泡材５０にのみ重なるように配設してもよい。しかも、縦框３３の加熱発泡材４１と下框３６の第一及び第二加熱発泡材５０，５１とは接触していなくてもよく、図５（ａ）に示す正面視で互いに高さ方向に重なる位置にあれば非接触でよい。また、第二加熱発泡材５１を省略して第一加熱発泡材５０のみを設けるようにしてもよい。
なお、上述の説明では、縦框３３と下框３６との連結部における構造についてのみ示したが、縦框３３、３４と上框３５との連結部においても同様な構成を備えていてもよい。
【００３１】
本第二実施形態による排煙窓３０は上述の構成を備えており、例えば屋外で火災が発生した場合、例えば縦框３３に対して下框３６が熱で変形して屋外側に反ってしまう。
すると、図６において、縦框３３と下框３６との間に隙間が発生するが、縦框３３の飲み込み部３８内の空洞部３８ｂ内で縦框３３の内面３３ａに設けた加熱発泡材４１が熱膨張するため、空洞部３８ｂを充満させて変形した下框３６との隙間に膨張して屋内と屋外を連通させないように封止する。
【００３２】
一方、熱で変形する下框３６では、仕切り部４３で仕切られた飲み込み部４４内の空洞は側壁に設けた第一加熱発泡材５０が熱膨張することで充満して縦框３３の加熱発泡材４１と密着して重なる。更に、空洞部４５でも両側の側壁に設けた第二加熱発泡材５１が熱膨張することで、第一加熱発泡材５０と仕切り部４３のない下框３６の端面側で密着して重なる。第一及び第二加熱発泡材５０，５１も下框３６の端面の開口から膨出することで縦框３３との間の隙間を埋めて封止することができる。
しかも、熱変形した縦框３３と下框３６に隙間が生じても、縦框３３の加熱発泡材４１と下框３６の第一及び第二加熱発泡材５０，５１とは加熱膨張することで互いに密着して隙間を封止することができる。
【００３３】
更に縦框３３の空洞部３８ｂと下框３６の飲み込み部４４の空洞と空洞部４５を加熱発泡材４１、５０、５１で充満できるため、縦框３３と下框３６の隙間に連通する空気や火炎等の流通を充分に封止できる。
また、上述の説明では、縦框３３と下框３６との連結部について説明したが、障子３２を構成する左右の縦框３３、３４と下框３６との各連結部において上記構成を採用するものとする。また、左右の縦框３３、３４と上框３５との各連結部にも上記構成を採用してもよい。
なお、本第二実施形態の構成は、排煙窓３０に代えて、単窓の場合におけるＦＩＸ窓では縦枠と上下枠との接合部、障子では縦框と上下框との接合部、連窓の場合の方立と上下框との接合部にも加熱発泡材４１、５０，５２を取り付けることができる。
【００３４】
上述のように本第二実施形態による排煙窓３０は、火災によって縦框３３，３４と上框３５、下框３６との連結部においていずれか一方または両方の框部材が熱変形で反って隙間が生じたとしても連結部に設けた加熱発泡材４１、第一及び第二加熱発泡材５０，５１の熱膨張によって隙間を埋めて封止することができるため、屋内と屋外との間で空気や火炎等の流れを遮断でき、延焼を防止できる。
【００３５】
なお、上述した各実施形態では、縦枠１１と無目１２との連結部や、縦框３３、３４と上下框３５、３６との連結部について説明したが、本発明はこのような実施形態に限定されるものではなく、縦枠１１と無目１２との間や、縦框３３、３４と上下框３５、３６との間でアタッチメント枠を一方に取り付けた建具についても適用でき、例えば縦枠１１、縦框３３，３４と無目１２や上下框３５，３６の一方とアタッチメント枠との間に、火災等で隙間ができる場合にも本発明を適用できる。この場合、加熱発泡材は縦枠１１、縦框３３、３４または無目１２や上下框３５，３６とアタッチメント枠との間に設けて、加熱膨張時に隙間を埋めて封止するようにしてもよい。
【００３６】
また、上述した各実施形態では、縦枠１１と無目１２との連結部や、縦框３３、３４と上下框３５，３６との連結部等において縦枠１１と無目１２の両方、そして縦框３３、３４と上下框３５、３６の両方にそれぞれ互いに交差して重なる位置に加熱発泡材２１、２７、４１、５０、５１をそれぞれ設けたが、どちらか一方にのみ加熱発泡材を設けた構成を採用してもよい。その場合でも、縦枠１１と無目１２との連結部や、縦框３３，３４と上下框３５，３６との連結部等に熱変形で発生する隙間を一方の枠部材や框部材に設けた加熱発泡材２１、２７、４１、５０、５１を熱膨張させることで封止することができる。
【００３７】
また、上述した各実施形態では、縦枠１１と上下枠との連結部や、縦框３３、３４と上下框３５，３６との連結部において、縦枠や縦框の側面に上下枠や上下框の端面を当接させてタッピングねじ１４で連結させるようにしたが、上下枠や上下框の側面に縦枠や縦框の端面を当接させてタッピングねじ１４で連結させてもよいことは言うまでもない。
また、上述した各実施形態では、ＦＩＸ窓１０や排煙窓３０について説明したが、本発明はこのようなものに限定されるものではなく、単窓、段窓、連窓、連段窓、引き違い障子等を含む各種の窓やドア等の各種の建具に適用できる。また、本発明において縦部材は縦枠１１、縦框３３，３４を含み、横部材は無目１２、上框３５、下框３６等を含むものである。
なお、上述した実施形態では、縦枠や上下枠、縦框や上下框の各飲み込み部１７，２３，３８，４４の内壁に加熱発泡材２１，２７，４１を取り付けるようにしたが、ガラス保持金具がスチール製であったり、加熱発泡材２１，２７，４１を支持するための金具が設けられている場合には、内壁に限定されることなく、飲み込み部１７，２３，３８，４４の内外の適宜位置に設けた金具等に加熱発泡材２１，２７，４１を固定してもよい。
【符号の説明】
【００３８】
１０  ＦＩＸ窓
１１、３３、３４  縦枠
１２  無目
１５  ガラスパネル
１７、２３、３８、４４  飲み込み部
１７ｂ、２３ｂ  支持縁部
１８、２４、３９、４７  バックアップ材
１９、２５、４０，４８  シーリング材
２１、２７、４１  加熱発泡材
３０  排煙窓
３２  障子
３３、３４  縦框
３５  上框
３６  下框
ｋ１、ｋ２、４５  空洞部
４６  セッティングブロック
５０  第一加熱発泡材
５１  第二加熱発泡材
【図１】
2015025269.tif 000003
【図２】
2015025269.tif 000004
【図３】
2015025269.tif 000005
【図４】
2015025269.tif 000006
【図５】
2015025269.tif 000007
【図６】
2015025269.tif 000008
【図７】
2015025269.tif 000009
【図８】
2015025269.tif 000010